(57)【要約】      （修正有）【課題】複数の音声出力インターフェースを有する装置の音声出力レベルの変更を容易に行える方法を提供する。【解決手段】複数の音声出力インターフェースを有する装置のプロセッサは、２つの入力を実現することを可能にする少なくとも１つの音量ボタンを備える制御デバイスから指令を受信するように構成された制御インターフェースから音量指令を受信する。音声出力インターフェースの選択が有効と確証されるまで、受信した音量ボタン指令に因って、音声出力インターフェースの選択が起こる。音声出力インターフェースの選択を有効と確証すると、プロセッサは、受信音量指令によって、有効と確証された音声出力インターフェース用の出力音声音量を変更する。最初に受信された音量指令が、プロセッサに選択可能な音声出力を表示させることができる。【選択図】なし【特許請求の範囲】
【請求項１】
複数の音声出力インターフェースと、
制御デバイスから音量指令を受信するように構成された制御インターフェース手段であって、前記音量指令が、音量増大および音量減少を含む、制御インターフェース手段と、
前記制御インターフェース手段から前記音量指令を受信する受信手段と、
音量制御に関して音声出力インターフェース選択が有効と確証されていない場合、音声出力インターフェース選択が有効と確証されるまで、受信された前記音量指令に基づいて音声出力インターフェースを選択する選択手段と、
音量制御に関して音声出力インターフェース選択が有効と確証された場合、受信された音量指令によって、前記選択された音声出力インターフェース用の出力音声音量を修正する修正手段と
を備える装置。
【請求項２】
さらなる音量指令を受信することなく、所与の時間が過ぎた場合に、音声出力インターフェースを選択解除する選択解除手段をさらに備える、請求項１に記載の装置。
【請求項３】
最初に受信される音量指令を受信すると、表示インターフェースを介して、選択可能な音声出力インターフェースの識別子を表示する表示手段をさらに備える、請求項１に記載の装置。
【請求項４】
前記最初に受信された音量指令を音声出力インターフェースの選択と解釈する解釈手段をさらに備える、請求項３に記載の装置。
【請求項５】
さらなる音量指令を受信することなく、所与の時間の後、前記音声出力インターフェース選択を有効と確証する有効確証手段をさらに備える、請求項１に記載の装置。
【請求項６】
前記音量指令と異なる特定の指令を前記制御インターフェースから受信すると、前記音声出力インターフェース選択を有効と確証する有効確証手段をさらに備える、請求項１に記載の装置。
【請求項７】
前記装置が、２つの選択可能な音声出力インターフェースを含み、前記装置が、音声出力インターフェースの選択を前記選択の有効確証としても解釈する解釈手段をさらに備える、請求項１に記載の装置。
【請求項８】
音声出力インターフェース選択を有効と確証すると、前記表示インターフェースを介して、前記有効と確証された音声出力インターフェースのインジケーションおよび対応する現在の音声出力音量を表示する表示手段をさらに備える、請求項１に記載の装置。
【請求項９】
複数の音声出力インターフェースを有する装置での方法であって、
音声出力インターフェースの選択が有効と確証されるまで、反復的に、
受信手段によって、制御インターフェースから音量指令を受信することであって、前記音量指令が、音量増大および音量減少を含む、制御インターフェースから音量指令を受信することと、
音声出力インターフェースを選択手段によって、前記音量指令に応答して選択することと、
前記音声出力インターフェースの前記選択が有効と確証されると、
修正手段によって、受信された音量指令によって前記音声出力インターフェース用の出力音声音量を修正することと
を含む方法。
【請求項１０】
前記音量ボタン指令を受信する前に、
前記受信手段によって、最初の音量ボタン指令を受信することと、
前記最初の音量ボタン指令に応答して、送信手段によって、選択可能な音声出力インターフェースの識別子をスクリーン上に表示するためにディスプレイインターフェースに送信することと
をさらに含む、請求項９に記載の方法。
【請求項１１】
さらなる音量指令を受信することなく、所与の時間が過ぎた場合に、選択解除手段によって、音声出力インターフェースを選択解除することをさらに含む、請求項９に記載の方法。
【請求項１２】
前記装置が、２つの選択可能な音声出力インターフェースを含み、音声出力インターフェースの選択が、さらに、前記選択を有効と確証する、請求項９に記載の方法。
【請求項１３】
音声出力インターフェース選択を有効と確証すると、表示手段によって、前記表示インターフェースを介して、前記有効と確証された音声出力インターフェースのインジケーションおよび対応する現在の音声出力音量を表示することをさらに含む、請求項９に記載の方法。
【請求項１４】
請求項９に記載の方法のステップを実施する処理手段によって実行可能なプログラムコード命令を備えるコンピュータプログラム。
【発明の詳細な説明】
【技術分野】
【０００１】
本開示は、概括的には音声出力のユーザ制御に関し、具体的には、複数の音声出力を備えた装置のためのそうした制御に関する。
【背景技術】
【０００２】
本節は、以下に記載されるおよび／または請求される本開示のさまざまな態様に関連する可能性のある技術のさまざまな態様を、読者に説明することを目的とする。この考察は、本開示のさまざまな態様をより良く理解することを容易にするために、読者に背景情報を提供するのに役立つと考えられる。したがって、これらの記述は、従来技術の承認としてではなく、この観点で読まれるべきであると理解されたい。
【０００３】
音声および音響映像コンテンツを消費するためのある種のデバイスは、複数の音声出力を備える。そのようなデバイスの例は、ＨＤＭＩを介したテレビ、サウンドバー等との接続用の第１の音声出力、およびジャックを介した、たとえばヘッドホンへの第２の音声出力を備え、一方で、第３の音声出力が、ブルートゥース（商標）インターフェースである可能性もあるデコーダである。
【０００４】
そのようなデバイスには、典型的には、ボタンの片方の端部を押すと、音声レベルを上げ、他方の端部を押すと、音声レベルを下げることを可能にするように枢動する１つの音量制御ボタン、または代わりに、１つは音声レベルを上げ、１つは音声レベルを下げる２つの別個の音量制御ボタンを備えた従来型の遠隔制御装置が付随している。
【０００５】
そのようなデバイス／遠隔制御装置の組合せに関する問題は、それらが２つ以上あるので、その組合せが、所与の音声出力の音声レベルを変更するのに複雑になり得ることであるしたがって、従来型の解決策は、典型的には、メニューツリーの某所を下げると、音声出力選択が可能になるメニューを含む。そのようなメニューツリーは、ナビゲートするのに複雑である可能性がある。
【０００６】
ユーザインターフェースは、多くの場合、遠隔制御装置のものより規模が小さいので、一体型のユーザインターフェースを介してデバイスと直接相互作用するとき、問題は、通常、より大きな程度で存在する。
【０００７】
したがって、音声出力選択の欠点の少なくとも一部に対処する解決策の要望があることを理解されよう。本原理は、そのような解決策を提供する。
【発明の概要】
【０００８】
第１の態様では、本原理は、複数の音声出力インターフェースと、制御デバイスから音量指令を受信するように構成された制御インターフェース手段であって、音量指令が、音量増大および音量減少を含む、制御インターフェース手段と、制御インターフェース手段から音量指令を受信する受信手段と、音量制御に関して音声出力インターフェース選択が有効と確証されていない場合、音声出力インターフェース選択が有効と確証されるまで、受信された音量指令に基づいて音声出力インターフェースを選択する選択手段と、音量制御に関して音声出力インターフェース選択が有効と確証された場合、受信された音量指令によって、選択された音声出力インターフェース用の出力音声音量を修正する修正手段とを含む装置に着眼する。
【０００９】
第２の態様では、本原理は、複数の音声出力インターフェースを有する装置での方法に着眼し、方法は、音声出力インターフェースの選択が有効と確証されるまで、反復的に、受信手段によって、制御インターフェースから音量指令を受信することであって、音量指令が、音量増大および音量減少を含む、制御インターフェースから音量指令を受信することと、音声出力インターフェースを選択手段によって、音量指令に応答して選択することと、音声出力インターフェースの選択が有効と確証されると、修正手段によって、受信された音量指令によって音声出力インターフェース用の出力音声音量を修正することと、を含む。
【００１０】
第３の態様では、本原理は、第２の態様の何れかの実施形態による方法のステップを実施するためにプロセッサによって実行可能なプログラムコード命令を含むコンピュータプログラムに着眼する。
【００１１】
以下、本原理の特徴を、非限定的な例として添付の図面を参照しながら説明してゆく。
【図面の簡単な説明】
【００１２】
【図１】本原理による多音声出力を備えた装置を図示する。
【図２】本原理による２つの音声出力を含む装置で音声出力を選択する方法を図示する。
【図３】本原理による少なくとも２つの音声出力を含む装置で音声出力を選択する方法を図示する。
【図４】スクリーンが、２つの音声出力を備えた装置用のユーザインターフェースを表示する第１の例のシナリオを図示する。
【図５】スクリーンが、２つの音声出力を備えた装置用のユーザインターフェースを表示する第１の例のシナリオを図示する。
【図６】スクリーンが、２つの音声出力を備えた装置用のユーザインターフェースを表示する第１の例のシナリオを図示する。
【図７】スクリーンが、３つの音声出力を備えた装置用のユーザインターフェースを表示する第２の例のシナリオを図示する。
【図８】スクリーンが、３つの音声出力を備えた装置用のユーザインターフェースを表示する第２の例のシナリオを図示する。
【図９】スクリーンが、３つの音声出力を備えた装置用のユーザインターフェースを表示する第２の例のシナリオを図示する。
【図１０】スクリーンが、３つの音声出力を備えた装置用のユーザインターフェースを表示する第２の例のシナリオを図示する。
【図１１】図２および図３とは異なる実施形態の方法を図示する。
【発明を実施するための形態】
【００１３】
図１は、本原理による複数の音声出力１１１、１１２を備えた装置１００を図示する。テレビまたは、本明細書で使用される非限定的な例では、デコーダである場合もある装置１００は、レンダリング用の音声または音響映像コンテンツを受信するように構成された入力インターフェース１２０と、遠隔制御装置１９０から指令を受信するように構成された遠隔制御インターフェース１３０と、コンテンツを処理して、装置を制御するように構成された少なくとも１つのハードウェアプロセッサ（以下説明では「プロセッサ」）１４０と、プロセッサ１４０によって実行されるときに、下文でさらに説明されるように音声出力の選択を可能にするプログラムコード命令を記憶するように構成されたメモリ１５０と、第１の音声出力１１１と、第２の音声出力１１２と、（必ずしもではないが、装置１００の部分である場合もある）スクリーン１７０上に少なくとも１つの画像および映像を出力するように構成されたディスプレイ（例えば映像）インターフェース１６０とを含む。１つの実施形態では、第１の音声出力１１１およびディスプレイインターフェース１６０は、ＨＤＭＩまたはＳＣＡＲＴインターフェースなどの、単一の物理インターフェースに実装される。
【００１４】
遠隔制御装置１９０は、すでに説明されたように、２つの別個の音量ボタン（典型的には、一方は、音量を増大させる少なくとも１つの指令を伝達させるためのもの、他方は、音量を減少させる少なくとも１つの指令を伝達させるためのもの）、または単一の枢動音量ボタン１９２を含むことができる。以下の説明では、「音量ボタン」は、これらの可能性を両方とも含むように意図されている。典型的には、遠隔制御装置１９０は、ユーザが装置１００を消音するおよび消音を解除する「ミュート」ボタンさらに含む。当業者であれば、本原理が、一体型の音量制御ボタンを備えた、すなわち一体型の制御デバイスを備えた装置にも適用されることを理解されよう。
【００１５】
第１の音声出力１１１および第２の音声出力１１２は、どのような適切な技術を用いてでも実装されることができ、音声出力は、例えば、ＨＤＭＩ、ＳＣＡＲＴ、またはブルートゥース（商標）インターフェースとして実装されてもよい。
【００１６】
非一時的コンピュータ可読媒体１８０は、プロセッサによって実行されるとき、本原理による少なくとも１つの方法のステップを実施するプログラムコード命令を記憶する。
【００１７】
一般的に言って、本原理によれば、装置１００は、少なくとも１つの第１の音量ボタン指令を、音声出力の選択に関する命令と、そして少なくとも１つの第２の音量ボタン指令を、選択された音声出力用の出力音量を設定する命令と解釈する。本原理の実施形態では、装置１００は、前述の第３の音量ボタン指令を、例えば、選択可能な音声出力を表示するインターフェースを活性化することによって音声出力の選択を可能にする命令と解釈する。
【００１８】
実施形態では、装置１００は、ユーザが、音量ボタンを介して選択され得る音声出力を設定することを可能にする、メニューツリー（図示せず）の中のメニューなどのユーザインターフェースを提供する。例えば、装置が、３つの音声出力、例えば、テレビに接続されたＨＤＭＩインターフェース、ヘッドホン接続用のジャック、およびブルートゥース（商標）インターフェースを含む場合には、ユーザは、本原理を用いて選択される音声出力を選択することおよび選択解除することができる。このように、ユーザが、ヘッドホンを使用せずに、テレビスピーカ、またはブルートゥース（商標）に接続されたデバイスだけを使用する場合、ユーザが、ジャックの選択を可能にする命令を与えるまで、他の２つの音声インターフェースだけが、本原理を用いて選択されることができるように、ジャックは、選択解除されることができる。ユーザインターフェースは、選択可能な音声出力が表示されるか否かを制御するために、ユーザによってさらに使用されることができる。
【００１９】
図２は、本原理による２つの音声出力を含む装置で音声出力を選択する方法２００を図示する。方法は、プロセッサ１４０によって行われる。
【００２０】
すでに述べたように、簡潔に言えば、方法は、音声出力を選択するステップとして初期ユーザ音量ボタン指令を出し、選択された音声出力用の音声レベルを増減する指令としてさらなる音量ボタン指令を出す。
【００２１】
方法は、ステップＳ２０２で始まる。この時点では、指令は受信されてなく、カウンタは動作していないと考えられる。
【００２２】
ステップＳ２０４では、プロセッサ１４０は、それがカウンタを動かしているかどうかをチェックする。カウンタは、漸増的または漸減的（すなわちタイマー）であり得る。
【００２３】
カウンタが、動作していない場合、ステップＳ２０８において、プロセッサ１４０は、それが、遠隔制御インターフェース１２０を介して、音量ボタンに関する指令を受信したかどうかを、換言すれば、ユーザが音量ボタンを押したかどうかをチェックする。指令は、典型的には、増大（＋）または減少（−）の片方である。好ましい実施態様では、それぞれの指令は、単一の指令、すなわち増大または減少の１つの『ステップ』を含む。代替実施形態では、指令は、音量制御ボタンを押し続けている時の事例であり得るような、複数の反復される指令を含む場合もある。
【００２４】
そのような指令が受信されなかった場合、方法は、ステップＳ２０４に戻る。
【００２５】
音量ボタンに関する指令が、受信された場合、プロセッサ１４０は、ステップＳ２１０でカウンタを始動させ、カウンタがすでに動作している場合、それはリセットされて、始動される。次いで、ステップＳ２１２では、プロセッサ１４０は、それが遠隔制御インターフェース１３０を介してユーザから音声出力選択を以前に受信したかどうか、すなわち、ユーザが、音声出力を選択したかどうかをチェックする。
【００２６】
音声出力が選択されていた場合、ステップＳ２１４では、選択された音声出力に関して受信された指令（増大または減少）によって、出力音声レベル（すなわち音量）は、修正され、その後方法は、ステップＳ２０４に戻る。音声レベルは、選択された音声出力のシンボルマークなどのインジケーションをおそらく伴って、ディスプレイインターフェース１６０を介してユーザに表示されることができる。
【００２７】
音声入力が、選択されていなかった場合、指令は、ステップＳ２１６において音声出力選択の指令として出される。ステップＳ２１６は、選択可能な音声出力が表示されるか否かによってわずかに異なり、具体的には、音声出力が２つだけの場合、ユーザは、インターフェースの補助なしで、どちらかのオーディオ出力を選択する方法をすぐに知ることができ、音声出力選択は、その場合より迅速であり得る。
【００２８】
インターフェースが、選択可能な音声出力を表示するものではない場合、プロセッサ１４０は、受信された指令を音声入力の選択と解釈する。図２に図示される方法には、可能な音声出力が２つだけ存在しており、２つの可能な音量指令（増大および減少）が存在しているので、それぞれの指令は、特定の音声出力と関連付けられ得る。
【００２９】
しかしながら、インターフェースが、選択可能な音声出力を表示するものである場合、指令は、例えば２つの音声出力の一覧を表示して、選択可能な音声出力を表示する命令として出される。その場合、プロセッサ１４０は、次の音量ボタン指令を選択入力と解釈する。ある指令『＋』が、一方を選択し、他の指令『−』が、他方を選択するように、それぞれの音声出力は、好ましくは、異なる音量ボタン選択（『＋』／『−』、『Ｖ＋』／『Ｖ―』、または類似物）と関連付けられる。これは、図４に図示される。
【００３０】
ステップＳ２０４で、カウンタが動作しているとプロセッサ１４０によって決定される場合には、方法は、プロセッサが、カウンタが決定値（典型的には所与の時間に対応する）に達したかどうかを決定するステップＳ２０６に進む。カウンタが決定値に達していない場合、方法はすでに記載されたステップＳ２０８に進む。
【００３１】
しかしながら、カウンタが決定値に達すると、方法はステップＳ２１８に移動し、ここでプロセッサ１４０がカウンタを停止し（およびリセットし）、音量関連の表示（例えば音声出力の選択を可能にする一覧）を閉じ、場合によっては、選択された音声出力を選択解除する。次いで、方法は、すでに記載されたステップＳ２０４に向かう。
【００３２】
見て分かるように、方法は、ユーザが最初に音声出力を選択し、次いで、選択された音声出力の音量を修正するために音量ボタンを使用することを可能にする。
【００３３】
図３は、本原理によって少なくとも２つの音声出力を含む装置において音声出力を選択する方法３００を図示する。方法の多くのステップは、図２に図示された方法のステップと類似しており、または同一であり、これらのステップは、同じ番号を有していて、必要に応じて、簡潔に記載されるにとどまる。方法は、プロセッサ１４０によって行われる。
【００３４】
方法は、ステップＳ２０２で始まり、プロセッサ１４０が、カウンタが動作しているかどうかを決定するステップＳ２０４に移動する。カウンタが動作していない場合、方法は、図２のように、ステップＳ２０８に向かう。
【００３５】
カウンタが動作している場合、方法は、プロセッサ１４０が、カウンタが第１の値に達したかどうかを決定するステップＳ３０２に進む。第１の値は、カウンタが、ステップＳ２０６において、値（「第２の値」）の前に達することになるようなものである。
【００３６】
第１の値に達していた場合、ステップＳ３０４では、ユーザインターフェースで現在選択されている音声出力は、音声出力の選択として有効と確証され、方法は、方法がステップＳ２１８またはＳ２０８に進むべきかを決定するために、カウンタが、第２の値と比較されるステップＳ２０６に続く。
【００３７】
ステップＳ２０８では、音量ボタン指令が受信されたかどうかが決定され、受信されていた場合、ステップＳ２１０でカウンタが始動され（またはリセットされて始動され）、その後、ステップＳ２１２では、音声出力の選択が有効と確証されているかどうかが決定される。選択が有効と確証されている場合、ステップＳ２１４において音量が修正された後、方法は、ステップＳ２０４に戻る。
【００３８】
選択が有効と確証されていない場合、方法は、プロセッサ１４０が、最初に受信された音量ボタン指令を選択可能な音声出力の一覧を表示する命令と、そして次の音量ボタン指令を音声出力の表示された一覧で（異なる）音声出力を選択する命令と解釈するステップＳ３０６に移動する。次いで、方法は、ステップＳ２０４に戻る。
【００３９】
図２に図示された方法と同様に、図３の方法は、選択可能な音声出力を表示せずに行うことができ、ステップＳ３０６に受信された最初の音量ボタン指令が、第１の選択と解釈される。
【００４０】
音量ボタンが２つの異なる指令を生じる可能性があるので、プロセッサ１４０が、ステップＳ３０６に受信された最初の音量ボタン指令を、可能な音声出力を表示する指令、および第１の選択の両方に解釈する可能性もあり、２つの音量ボタン指令のどちらが受信されたのかによって、異なる選択がなされる。
【００４１】
当業者は、選択を有効と確証するために使用される、ステップＳ３０２のカウンタの代わりに、またはそれに加えて、プロセッサ１４０は、「ＯＫ」ボタンまたは類似のものに相当する入力などの、遠隔制御装置１９０からの異なる入力を、音声出力選択を有効と確証する命令と解釈する場合もあることを理解されよう。
【００４２】
当業者は、（音声出力選択が、選択を有効と確証することもできるとき）より迅速にすることができるので、図２に図示された方法は、音声出力が２つだけであるとき、より適している可能性があることを理解されよう。
【００４３】
音声出力が、本明細書に記載されるように選択されると、装置が、音声出力を消す命令（遠隔制御装置１９０から発せられた命令）を受信して、それに応答して音声出力を消すこともさらに可能であることがさらに理解されよう。
【００４４】
図２および図３の方法の間の整合性に関して、図２の中の音声出力の『選択』、『選択された』などは、『有効確証』、『有効と確証された』、その他を含むと考えられ得る。
【００４５】
図４〜図６は、スクリーンが、２つの音声出力を備えた装置用のユーザインターフェースを表示する第１の例のシナリオを図示する。
【００４６】
図４は、２つの音声出力用のアイコン４１０、４２０と、音声出力を選択する指示部４３０とを備えたユーザインターフェース４００を図示する。見て分かるように、テレビに接続された音声出力は、『Ｖ＋』ボタンと関連付けられ、一方、ジャックは、『Ｖ−』ボタンと関連付けられる。それぞれのアイコン４１０、４２０は、音声出力に関する現在の音声レベル（すなわち音量）を表示する。これは、図２のステップＳ２１６に対応し得る。
【００４７】
図５は、ユーザがジャックを選択した後のユーザインターフェース５００を図示する。『テレビ』音声出力アイコン５１０は、依然として可視状態である（わずかに変化している）が、選択することはできない、すなわち、音量ボタンは、それと関連付けられていない。指示部５３０は、ユーザに、音声レベル、「出力値」を選択するように促す。ジャック音声出力アイコン５２０は、両方の音量ボタン選択肢が、音量を増大するおよび減少するために、それぞれそれと関連付けられていることを示すために、わずかに変化している。これは、図２のステップＳ２１４に対応し得る。
【００４８】
図６は、ユーザがジャックに関する音量を減少させた後のユーザインターフェース６００を図示する。見て分かるように、『テレビ』音声出力アイコン６１０は、変化していないままであり、音量を選択する指示部６３０も変化していない。『ジャック』アイコン６２０は、依然として、両方の音量ボタン『Ｖ＋』および『Ｖ−』、ジャック画像を示しているが、音量『螺旋』は、現在音量が最小であることを表示している。これは、同じく、図２のステップＳ２１４に対応することができ、ユーザは、所望の音量を設定し続けることができる。
【００４９】
図７〜図１０は、スクリーンが、３つの音声出力を備えた装置用のユーザインターフェースを表示する第２の例示的シナリオを図示する。
【００５０】
図７は、３つの音声出力に関するアイコン７１０、７２０、７３０および音声出力を選択する指示部７４０を備えたユーザインターフェース７００を図示する。見て分かるように、指示部７４０は、カーソル（わずかに位置がずれて表示された）を有し、一方で、テレビに接続された音声出力は、『Ｖ＋』ボタン（すなわち、それを選択するために上に行く）と関連付けられており、一方で、ジャックおよびブルートゥース（商標）は、『Ｖ−』ボタン（すなわち、これらの音声出力を選択するために、１回または２回下がる）と関連付けられている。それぞれのアイコン７１０、７２０、７３０は、音声出力に関する現在の音声レベル（すなわち音量）を表示する。これは、図３のステップＳ３０６に対応し得る。
【００５１】
図８は、ユーザが、ジャック、すなわちアイコン８２０を選択した後のユーザインターフェース８００を図示する。選択がまだ有効と確証されていないとき（図３のステップＳ３０４）、『テレビ』音声出力アイコン８１０（『Ｖ＋』で表示される）を選択するために上に移動すること、およびブルートゥース（商標）音声出力アイコン８３０（『Ｖ−』で表示される）を選択するために下に移動することが依然として可能である。音声出力を選択する指示部８４０は、依然として可視状態である。ジャック音声出力アイコン８２０は、それが現在選択されていることを示すために音量ボタン標識を含んでいないという点が、わずかに変化している。これもまた、図３のステップＳ３０６に対応し得る。
【００５２】
図９は、ジャック音声出力の選択の有効確証（図３のステップＳ３０４）後の、ユーザインターフェース９００を図示する。図５のように、他の音声出力アイコン９１０、９３０は、可視状態であるが、選択されることはできず、ユーザインターフェース９００が音量（「出力値」）を設定する促進部９４０を含む。見て分かるように、『ジャック』アイコン９２０は、両方の音量ボタン『Ｖ＋』および『Ｖ−』、ジャック画像、および最大になっている設定音量のインジケーションを含む。これは、図３のステップＳ２１４に対応し得る。
【００５３】
図１０は、ユーザが、ジャックに関する音量を減少させた後のスクリーンを図示する。
【００５４】
図１１は、図２および図３の実施形態の方法を違うやり方で図示する。図１１に図示される方法は、図２および図３に図示される方法を行う装置１００によって行われる。
【００５５】
方法１１００は、ステップＳ１１０２で始まる。任意選択ステップＳ１１０４では、プロセッサ１４０は、音量指令を受信し、それに応答して、任意選択ではあるが、好ましいステップＳ１１０６では、選択可能な音声出力を表示する。すでに述べたように、ステップ１１０４で受信された指令は、同様に、プロセッサ１４０によって音声出力の選択と（さらに、２つの可能な音声出力の場合には、選択の有効確証と）解釈されることができる。
【００５６】
ステップＳ１１０８では、プロセッサ１４０は、ステップＳ１１１０では音声出力の選択と（そして音声出力が２つだけの場合には、場合によってはその有効確証と）解釈される音量指令を受信する。
【００５７】
すでに述べたように、音声出力の選択は、異なる方法で有効と確証されることができる。選択が有効と確証されるまで、ステップＳ１１０８およびＳ１１１０は反復される。
【００５８】
選択が有効と確証されると、プロセッサ１４０は、ステップＳ１１１４において、さらに受信された音量指令によって選択された音声出力の音量を変更する。
【００５９】
このように、本原理は、従来型の遠隔制御装置の音量ボタンだけを使用して、複数の音声出力に関する音量制御を提供することができることを理解されよう。
【００６０】
図示された要素は、さまざまな形態のハードウェア、ソフトウェア、またはそれらの組合せで実装され得ることを理解されたい。好ましくは、これらの要素は、プロセッサ、メモリ、および入出力インターフェースを含む場合もある、１つまたは複数の適切にプログラムされた汎用デバイス上でハードウェアおよびソフトウェアを組み合わせて実装される。
【００６１】
本説明は、本開示の原理を図で説明している。当業者は、開示の原理を具体化し、本開示の範囲内に含まれるさまざまな配置を、本明細書において明示的に説明されていない、または示されていなくても、考案することが可能であることを理解されよう。
【００６２】
本明細書において詳述される全ての例および条件的言語は、読者が開示の原理、および技術を促進することに発明者が寄与する構想を理解するのを助けるための教育的な目的のためのものであり、そのような具体的に詳述された例および状態に制限するわけではないと解釈されるべきである。
【００６３】
さらに、開示の原理、態様、および実施形態、ならびにその具体的な例を詳述している本明細書における全ての記述は、その構造的等価物および機能的等価物を両方共含むように意図されている。さらに、そのような等価物は、現在知られている等価物、ならびに将来に開発される等価物の両方、すなわち、構造に関係なく、同じ機能を果たすどのような開発要素でも含むように意図されている。
【００６４】
したがって、例えば、本明細書において示されるブロック線図は、開示の原理を具現化する例証的な回路構成の概念ビューを表していることを当業者であれば理解されよう。同様に、どのような流れ図、流れ線図、およびその他同種のものも、コンピュータ読取可能媒体の中に実質的に表示されることができ、そのようなコンピュータまたはプロセッサが明示的に示されるか否かに関わらず、コンピュータまたはプロセッサによってそのように実行され得るさまざまなプロセスを表示していることを理解されよう。
【００６５】
図中に示されるさまざまな要素の機能は、専用のハードウェア、ならびに適切なソフトウェアと関連してソフトウェアを実行することができるハードウェアの使用を通して提供されてもよい。プロセッサによって提供されるとき、機能は、単一の専用プロセッサによって、単一の共用プロセッサによって、または複数の個別的なプロセッサであって、そのうちのいくつかは共用され得る、複数の個別的プロセッサによって提供されてもよい。そのうえ、「プロセッサ」または「制御器」という用語を明示的に使用する場合、ソフトウェアを実行することができるハードウェアだけを指すものと解釈されるべきではなく、暗黙裡に、以下に限定されるわけではないが、デジタル信号プロセッサ（ＤＳＰ：ｄｉｇｉｔａｌ  ｓｉｇｎａｌ  ｐｒｏｃｅｓｓｏｒ）ハードウェア、ソフトウェアを記憶するための読取専用メモリ（ＲＯＭ：ｒｅａｄ  ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、および不揮発性記憶装置を含むことができる。
【００６６】
他のハードウェアも、通常のものであれカスタム化されたものであれ、含まれ得る。同様に、図中に示されるどのようなスイッチも、概念的なものにすぎない。それらの機能は、プログラム論理のオペレーションによって、専用論理によって、プログラム制御および専用論理の相互作用によって、または手動でも実行されることができ、文脈からより明確に理解されるように、特定の技術が、実装者によって選択されることが可能である。
【００６７】
ここでの特許請求の範囲では、指定された機能を実行するための手段として表現されたどのような要素も、例えば、ａ）その機能を実行する回路要素の組合せ、またはｂ）したがって、ファームウェア、マイクロコード等を含み、機能を実行するためにそのソフトウェアを実行するための適切な回路構成と組み合わせた、何らかの形態のソフトウェアを含む、その機能を実行するどのような方法でも包含するように意図されている。そのような特許請求の範囲によって画定された開示は、さまざまな詳述された手段によって提供された機能性は、特許請求の範囲が要求する様式で、組み合わせて、まとめられるという事実に属する。したがって、そうした機能性を提供することができるどのような手段も、本明細書において示されるものと等価であるとみなされる。
【図１】
2019201405.tif 000002
【図２】
2019201405.tif 000003
【図３】
2019201405.tif 000004
【図４】
2019201405.tif 000005
【図５】
2019201405.tif 000006
【図６】
2019201405.tif 000007
【図７】
2019201405.tif 000008
【図８】
2019201405.tif 000009
【図９】
2019201405.tif 000010
【図１０】
2019201405.tif 000011
【図１１】
2019201405.tif 000012
【外国語明細書】
2019201405000001.pdf